(57)【要約】【課題】  ＧＰＳ信号により得られた位置情報を有する端末から前記位置情報を第三者に送信することのできる位置検索システムを提供することにある。【解決手段】  位置探索システム１０は第三者によりアクセスされる電話番号及び／又はＩＤ番号を有し、ＧＰＳ信号を受信して位置情報を得る手段と前記位置情報を無線回線１４をとおして送信する手段とを含むパーソナルハンデイ端末機１３と、前記無線回線１４を介して前記位置情報を受信する手段と前記位置情報を第１の一般有線回線１６１をとおして送信する手段とを有する移動用通信局１５と、前記位置情報を前記第１の一般有線回線をとおして受信し、第２の有線回線１６２を介して送信する手段を有するホストサーバ１７と、前記第２の有線回線を介して前記ホストサーバに接続されて前記パーソナルハンデイ端末機１３のユーザの行動を監視するパーソナルコンピュータ１８、２０とから構成されている。【選択図】  図１
2004334899.tif 000002
【特許請求の範囲】
【請求項１】
第三者またはユーザによりアクセスされる電話番号及び／又はＩＤ番号と、所定の画像情報を取り込み可能な、ＣＰＵに接続された少なくともメモリと、無線回線を通して前記情報を送受信する手段とを含むパーソナルハンデイ端末機と、前記無線回線を介して前記情報を送受信する手段と前記情報を一般回線をとおして送受信する手段とを有する移動用通信局と、前記画像情報を前記第１の一般回線またはインターネット回線を介して送受信する手段を有するホストサーバと、前記一般回線および／またはインターネット回線を介して前記ホストサーバに接続されるパーソナルコンピュータとから構成されることを特徴とする画像検索システム。
【発明の詳細な説明】
【技術分野】
【０００１】
本発明はパーソナル端末を用いた画像検索システムに関し、特に、端末からサーバ（ホストコンピュータ）を介して画像情報をインターネット回線を介して不特定の第三者に送受信することのできる画像検索システムに関する。
【背景技術】
【０００２】
無線回線、有線回線及び交換機を用いた携帯電話システムが実用化され、特定のグループ間でＧＰＳ信号により得られた位置情報を相互に送受信して互いに相手の位置を確認できるようにしたシステムが提案されている（先行文献１）。しかしながら、前記携帯電話システムは不特定の第３者との間で、音声情報を送受信するシステムは提供されているものの、画像情報を、特にインターネット回線を介して不特定の第３者との間で画像情報を送受信する機能を有していない。
【特許文献１】特開平８−５３９４号
【発明の開示】
【発明が解決しようとする課題】
【０００３】
それ故、本発明の目的は、画像情報を有する端末機を用いて前記画像情報を第三者に送受信することができる画像検索システムを提供することにある。
【課題を解決するための手段】
【０００４】
本発明による画像探索システムは、第三者またはユーザによりアクセスされる電話番号及び／又はＩＤ番号と、所定の画像情報を取り込み可能な、ＣＰＵに接続された少なくともメモリと、無線回線を通して前記情報を送受信する手段とを含むパーソナルハンデイ端末機と、前記無線回線を介して前記情報を送受信する手段と前記情報を一般回線をとおして送受信する手段とを有する移動用通信局と、前記画像情報を前記第１の一般回線またはインターネット回線を介して送受信する手段を有するホストサーバと、前記一般回線および／またはインターネット回線を介して前記ホストサーバに接続されるパーソナルコンピュータとから構成されるとから構成される。
【発明の効果】
【０００５】
本発明によれば、前記電話番号及び／又はＩＤ番号によりアクセスされる前記パーソナルハンデイ端末機は常時受信される情報を記憶すると共に、当該情報を送信する機能を有しているので、前記パーソナルハンデイ端末機をサーバと共に従来の有線及び無線回線と組合わせることにより、インターネット回線を利用して画像の送受信を行い、画像を検索することができる。
【発明を実施するための最良の形態】
【０００６】
以下、本発明は位置探索システムについて説明されるが、第三者によりアクセスされる電話番号及び／又はＩＤ番号を有し、ＧＰＳ信号を受信して位置情報を得る手段と前記位置情報を無線回線をとおして送信する手段とを含むパーソナルハンデイ端末機は、外部装置から供給される画像データを取り込む手段を有すると共に、ＣＰＵに接続された少なくとも画像メモリとを有するので、位置検索システムはそのまま画像検索システムとして利用することができる。
【実施例】
【０００７】
図１はＧＰＳ信号を利用した位置検索システム１０を示し、前記位置検索システム１０はＧＰＳ衛星１１からのＧＰＳ信号を常時受信するアンテナ１２を備えると共に電話番号及び／又はＩＤ番号を有する、例えば、携帯電話のようなパーソナルハンデイ端末機１３を含んでいる。
【０００８】
前記端末機１３はビデオ装置、デジタルカメラ等からの画像データを取り込む機能を有し、さらに、前記電話番号及び／又はＩＤ番号により第三者或いはユーザーからアクセスされると共に、前記ＧＰＳ信号により時間或いは前記端末機１３の移動と共に変化する位置情報及び前記画像データを前記第三者に送出するようにされている。
【０００９】
前記端末機１３は無線回線１４を介して移動体通信機構（会社）１５に接続され、前記移動体通信機構１５は有線による第１の一般回線１６１を通してホストサーバ（ホストコンピュータ）１７に接続されている。前記サーバ１７は第２の一般回線１６２を介して前記第三者により操作されるＰＣ（パーソナルコンピュータ）１８に接続され、或いはインターネット１９を介して同様なＰＣ（パーソナルコンピュータ）２０に接続されている。
【００１０】
前記位置検索システム１０の動作について説明する。前記第三者が所定の前記パーソナルハンデイ端末機１３にアクセスする際、前記ＰＣ１８を操作して前記電話番号及び／又はＩＤ番号を前記サーバ１７及び前記移動体通信機構１５を通して前記端末機１３に送信する。
【００１１】
アクセスされた前記端末機１３から時間と共に変化する前記位置情報を前記回線１４及び１６１を介して前記サーバ１７に送信される。前記サーバ１７は道路地図データベースを有すると共に、受信した前記位置情報に基づいて地図を作成する機能を有しており、作成した前記地図を前記ＰＣ１８に送信する。
【００１２】
前記第三者は前記ＰＣ１８に送信された前記地図を見ることにより前記端末機１３の位置、即ち、前記端末機１３を所持する人の時間経過位置、走行距離及び現在位置等を確認することができる。
【００１３】
図２は前記パーソナルハンデイ端末機１３の構成を示すブロック回路３０を示す。前記ブロック回路３０はＣＰＵ３１を内蔵しており、前記ＣＰＵ３１には前記ＧＰＳ衛星１１からのＧＰＳ信号に基づいて緯度・経度の位置情報を検出するＧＰＳ信号受信用ＩＣ（Ｉｎｔｅｇｒａｔｅｄ Ｃｉｒｃｕｉｔ）３２と、前記移動体通信機構１５に対する無線信号の送受信を行うための移動体通信用コントローラ３３と、前記ＰＣ１８、２０等の外部装置をメンテナンスするためのコミュニケーションポート３４と、外部からの妨害、システム悪用防止等にたいするシステム管理用のセキュリティＩＣ３５と、システムプログラム用のＲＯＭ３６と、ビデオ装置、デジタルカメラ、ＣＣＤカメラ等の外部からの画像データを格納する画像メモリ３７と、前記ＧＰＳ信号受信用ＩＣ３２からのデータを格納する位置検索メモリ３８と、スタック及びワークエリアを有しシステムで使用するためのシステムメモリ３９と、時間監視用のリアルタイムクロック４０とが接続されて前記パーソナルハンデイ端末機１３を構成している。
【図面の簡単な説明】
【００１４】
【図１】本発明の実施例によるＧＰＳ信号を利用した位置検索システムを示すブロック図である。
【図２】本発明の実施例によるパーソナルハンデイ端末機のブロック回路を示す図である。
【符号の説明】
【００１５】
１０  位置検索システム、１１  ＧＰＳ衛星、１２  アンテナ、１３  パーソナルハンデイ端末機、１４  無線回線、１５  移動体通信機構、１６１  第１の一般回線、１６２  第２の一般回線、１７  ホストサーバ、１８  ＰＣ、１９  インターネット、２０  ＰＣ、３０  ブロック回路、３１  ＣＰＵ、３２  ＧＰＳ信号受信用ＩＣ、３３  移動体通信用コントローラ、３４  コミュニケーションポート、３５  システム管理用のセキュリティＩＣ、３６  システムプログラム用のＲＯＭ、３７  画像メモリ、３８  位置検索メモリ、３９  システムメモリ、４０  リアルタイムクロック
【図１】
2004334899.tif 000003
【図２】
2004334899.tif 000004